(57)【要約】【課題】光ディスク装置において、ＤＶＤディスクのレーベルフラッシュ面が光ピックアップと対向するよう挿入されたことを判定する方法を容易化したい。【解決手段】レーベルフラッシュ面のドローイングエリアにおける描画可能領域の内周側付近から、インフォメーションエリアにかけて光ピックアップを移動させながら、光ピックアップが再生するＤＰＰ信号とＤＰＤ信号の振幅を検出する。ＤＰＰ信号、ＤＰＤ信号とも、ドローイングエリアよりもインフォメーションエリアで検出される振幅が大きい場合、即ち、双方において所定値以上の振幅変化が検出された場合には、レーベルフラッシュ面が光ピックアップと対向するよう挿入されたと判定する。【選択図】図１１Ａ
2011253601.tif 000002
【特許請求の範囲】
【請求項１】
データを記録または再生するためのデータ記録面とレーベルを印刷するためのレーベルフラッシュ面が表裏一体である光ディスクに対してデータを記録または再生する光ディスク装置であって、
前記光ディスクにレーザ光を照射して前記データ記録面に対して前記データを記録または再生し前記レーベルフラッシュ面に対して前記レーベルを印刷する光ピックアップと、
該光ピックアップが再生した信号に基づき前記光ピックアップに対しトラッキング制御をするのためのトラッキング制御信号を生成する信号処理部と、
該信号処理部が生成した前記トラッキング制御信号に基づき前記光ピックアップの前記光ディスクに対するトラッキング位置を制御するサーボ部と、
前記光ディスク装置の動作を制御する制御部を有し、
該制御部は、前記光ディスク装置に前記光ディスクが装着された際に、
前記光ディスクのレーベルフラッシュ面のドローイングエリアとインフォメーションエリアの境界に相当する前記光ディスクの半径方向位置を通過させるよう前記光ピックアップを前記光ディスクの半径方向に所定距離だけ移動させて前記トラッキング制御信号を前記信号処理部から取得し、前記トラッキング制御信号に所定値以上の振幅変化が検出された場合には、前記レーベルフラッシュ面が前記光ピックアップに対向するよう前記光ディスクが前記光ディスク装置に装着されたと判定することを特徴とする光ディスク装置。
【請求項２】
請求項１に記載の光ディスク装置において、前記制御部が前記判定に用いる前記トラッキング制御信号は、前記信号処理部で生成されるＤＰＤ信号／ＤＰＰ信号／ＭＰＰ信号のうちの一つ、または、ＤＰＤ信号とＤＰＰ信号の双方、または、ＤＰＤ信号とＭＰＰ信号の双方であることを特徴とする光ディスク装置。
【請求項３】
データを記録または再生するためのデータ記録面とレーベルを印刷するためのレーベルフラッシュ面が表裏一体である光ディスクに対してデータを記録または再生する光ディスク装置におけるディスク面の判別方法であって、
前記光ディスク装置に装着された前記光ディスクがＢＤ、ＣＤ、ＤＶＤの何れであるかを判別する第１のディスク判別ステップと、
該第１のディスク判別ステップでの判別の結果、前記光ディスクはＤＶＤであると判別された場合には、ＤＶＤディスクのうちで何れの種類であるかを判別する第２のディスク判別ステップと、
前記光ディスクは前記レーベルフラッシュ面にレーベルを印刷する方向で前記光ディスク装置に装着されたか否かを判別するレーベルフラッシュ面判別ステップを有し、
該レーベルフラッシュ面判別ステップは、
前記光ディスク装置に前記光ディスクが装着された際に、前記光ディスクのレーベルフラッシュ面のドローイングエリアとインフォメーションエリアの境界に相当する前記光ディスクの半径方向位置の周辺における、前記光ディスクからの再生信号に基づき生成されたトラッキング制御信号の振幅値を取得する信号取得ステップを有し、
該信号取得ステップで取得された前記トラッキング制御信号の振幅値に所定値以上の変化が検出された場合には、前記光ディスクは前記レーベルフラッシュ面にレーベルを印刷する方向で装着されたと判定することを特徴とする光ディスク装置におけるディスク面の判別方法。
【請求項４】
請求項３に記載の光ディスク装置におけるディスク面の判別方法において、
前記第２のディスク判別ステップは、
前記光ディスクがＤＶＤ−Ｒ、ＤＶＤ＋Ｒ、ＤＶＤ−ＲＷ、ＤＶＤ＋ＲＷのうちの何れかの光ディスクであるか否かの判別を前記レーベルフラッシュ面判別ステップにおけるレーベルフラッシュ面の判別の前に行い、
前記光ディスクがＤＶＤ−ＲＡＭ、ＤＶＤ−ＲＯＭのうちの何れかの光ディスクであるか否かの判別を前記レーベルフラッシュ面判別ステップにおけるレーベルフラッシュ面の判別の後に行うことを特徴とする光ディスク装置におけるディスク面の判別方法。
【請求項５】
請求項３に記載の光ディスク装置におけるディスク面の判別方法において、
前記第２のディスク判別ステップは、
前記信号取得ステップで取得された前記トラッキング制御信号の振幅値の変化を検出する際に、前記光ディスクの半径方向における３箇所以上の振幅値を比較して検出することを特徴とする光ディスク装置におけるディスク面の判別方法。
【請求項６】
請求項３に記載の光ディスク装置におけるディスク面の判別方法において、前記信号取得ステップで振幅値を取得されるトラッキング制御信号は、ＤＰＤ信号／ＤＰＰ信号／ＭＰＰ信号のうちの一つ、または、ＤＰＤ信号とＤＰＰ信号の双方、または、ＤＰＤ信号とＭＰＰ信号の双方であることを特徴とする光ディスク装置におけるディスク面の判別方法。
【発明の詳細な説明】
【技術分野】
【０００１】
本発明は光ディスク装置、及び光ディスク装置におけるディスク面の判別方法に係り、特にディスク面の判別を容易にした光ディスク装置、及び光ディスク装置におけるディスク面の判別方法に関するものである。
【背景技術】
【０００２】
ＣＤ（Compact Disc）、ＤＶＤ（Digital Versatile Disc）やＢＤ（Blu-ray Disc）をはじめとする光ディスクを記録媒体とする光ディスク装置においては、ユーザが挿入した光ディスクが、例えば前記した種類のうちの何れであるかを判別するための、ディスク判別部が必要である。また、例えば光ディスクの種類がＤＶＤであった場合には、前記ディスク判別部は、前記光ディスクが、ＤＶＤ−Ｒのような一回のみ記録が可能な追記型、ＤＶＤ−ＲＡＭのような書換え型、ＤＶＤ−ＲＯＭのような読取り専用型のうちの何れであるかを判別する必要がある。
【０００３】
また、ユーザが光ディスクの表裏を誤って挿入することがある。このため前記ディスク判別部は、前記光ディスク装置の光ピックアップ（以下、ＯＰＵ；Optical Pickup Unitと略記することがある）が対向する面が、光ディスクのデータ記録面であるかレーベル印刷面であるかを判別する必要がある。
特許文献１においては、情報記録層のデータパターンの配列方向から、光ディスク面のデータ記録面とレーベル印刷面を判別する技術が開示されている。
【０００４】
さらに最近ではＤＶＤディスクに関して、ユーザが前記光ディスク装置を用いて、記録したコンテンツやそのタイトルに係る好みのレーベルを、前記レーベル印刷面に印刷できるようにしたものが現れている。このＤＶＤディスクのレーベル印刷面は、レーベルフラッシュ面と呼ばれる。このため、前記ディスク判別部は新たに、ＯＰＵがレーベルフラッシュ面に対向しているかを判別する必要がある。特許文献１に示したようなデータ記録面とレーベル印刷面の判別とは異なり、前記ディスク判別部は、レーベル印刷面がレーベルフラッシュ面であるか否かを判別する必要がある。
なお、レーベルフラッシュ面を有する光ディスクは、現在のところＤＶＤディスクの一部だけであり、例えばＣＤやＢＤには存在しない。
【先行技術文献】
【特許文献】
【０００５】
【特許文献１】特開平９−１２０５４１号公報
【発明の概要】
【発明が解決しようとする課題】
【０００６】
レーベルフラッシュ面の判別方法には、一例として、光ディスクの半径方向における所定位置でＯＰＵから出力されるトラッキング制御用のＤＰＤ（Differential Phase Detecting）信号とＤＰＰ（Differential Push-Pull）信号の振幅が、ともに所定値よりも小さい場合に、ＯＰＵにはレーベルフラッシュ面が対向していると判別する方法がある。
【０００７】
しかし、この方法ではＤＰＤ信号とＤＰＰ信号を検出する際の、ＯＰＵの光ディスクにおける半径方向の位置については所定の精度が必要である。後記するように、このＯＰＵの位置精度は一般的には厳しいものである。このため、位置精度を緩和してディスク面の判別を容易にできる判別方法が望まれている。
本発明の目的は前記した課題に鑑み、ディスク面の判別を容易にした光ディスク装置、及び光ディスク装置におけるディスク面の判別方法を提供することにある。
【課題を解決するための手段】
【０００８】
前記課題を解決するため本発明は、データを記録または再生するためのデータ記録面とレーベルを印刷するためのレーベルフラッシュ面が表裏一体である光ディスクに対してデータを記録または再生する光ディスク装置であって、
前記光ディスクにレーザ光を照射して前記データ記録面に対して前記データを記録または再生し前記レーベルフラッシュ面に対して前記レーベルを印刷する光ピックアップと、該光ピックアップが再生した信号に基づき前記光ピックアップに対しトラッキング制御をするのためのトラッキング制御信号を生成する信号処理部と、該信号処理部が生成した前記トラッキング制御信号に基づき前記光ピックアップの前記光ディスクに対するトラッキング位置を制御するサーボ部と、前記光ディスク装置の動作を制御する制御部を有し、
該制御部は、前記光ディスク装置に前記光ディスクが装着された際に、前記光ディスクのレーベルフラッシュ面のドローイングエリアとインフォメーションエリアの境界に相当する前記光ディスクの半径方向位置を通過させるよう前記光ピックアップを前記光ディスクの半径方向に所定距離だけ移動させて前記トラッキング制御信号を前記信号処理部から取得し、前記トラッキング制御信号に所定値以上の振幅変化が検出された場合には、前記レーベルフラッシュ面が前記光ピックアップに対向するよう前記光ディスクが前記光ディスク装置に装着されたと判定することを特徴としている。
【０００９】
また本発明は、データを記録または再生するためのデータ記録面とレーベルを印刷するためのレーベルフラッシュ面が表裏一体である光ディスクに対してデータを記録または再生する光ディスク装置におけるディスク面の判別方法であって、
前記光ディスク装置に装着された前記光ディスクがＢＤ、ＣＤ、ＤＶＤの何れであるかを判別する第１のディスク判別ステップと、該第１のディスク判別ステップでの判別の結果、前記光ディスクはＤＶＤであると判別された場合には、ＤＶＤディスクのうちで何れの種類であるかを判別する第２のディスク判別ステップと、前記光ディスクは前記レーベルフラッシュ面にレーベルを印刷する方向で前記光ディスク装置に装着されたか否かを判別するレーベルフラッシュ面判別ステップを有し、
該レーベルフラッシュ面判別ステップは、前記光ディスク装置に前記光ディスクが装着された際に、前記光ディスクのレーベルフラッシュ面のドローイングエリアとインフォメーションエリアの境界に相当する前記光ディスクの半径方向位置の周辺における、前記光ディスクからの再生信号に基づき生成されたトラッキング制御信号の振幅値を取得する信号取得ステップを有し、
該信号取得ステップで取得された前記トラッキング制御信号の振幅値に所定値以上の変化が検出された場合には、前記光ディスクは前記レーベルフラッシュ面にレーベルを印刷する方向で装着されたと判定することを特徴としている。
【発明の効果】
【００１０】
本発明によれば、ディスク面の判別を容易にした光ディスク装置、及び光ディスク装置におけるディスク面の判別方法を提供でき、光ディスク装置の設計や製造の容易化に寄与できるという効果がある。
【図面の簡単な説明】
【００１１】
【図１】本発明の一実施例における光ディスク装置のブロック図である。
【図２Ａ】本発明の一実施例におけるＤＰＤ信号の生成部のブロック図である。
【図２Ｂ】本発明の一実施例におけるＤＰＤ信号の説明図である。
【図３Ａ】本発明の一実施例におけるＤＰＰ信号の生成部のブロック図である。
【図３Ｂ】本発明の一実施例におけるＤＰＰ信号の説明図である。
【図４】本発明の一実施例における光ディスクのレーベルフラッシュ面のエリア配置とＯＰＵの動作を示す図である。
【図５】レーベルフラッシュ面におけるＤＰＰ信号とＤＰＤ信号の振幅を示す図である。
【図６】ＤＶＤ−Ｒのデータ記録面におけるＤＰＰ信号とＤＰＤ信号の振幅を示す図である。
【図７】ＤＶＤ−ＲＡＭのデータ記録面におけるＤＰＰ信号とＤＰＤ信号の振幅を示す図である。
【図８】ＤＶＤ−ＲＯＭのデータ記録面におけるＤＰＰ信号とＤＰＤ信号の振幅を示す図である。
【図９】本発明の一実施例における光ディスク判別方法の第１のフローチャートである。
【図１０】本発明の一実施例における光ディスク判別方法の第２のフローチャートである。
【図１１Ａ】本発明の一実施例における光ディスク判別方法の第３のフローチャートである。
【図１１Ｂ】図１１Ａにおける判定条件を示す図である。
【図１２】本発明の一実施例におけるＯＰＵの動作を示す図である。
【発明を実施するための形態】
【００１２】
以下、本発明の実施例につき図面を用いて説明する。
図１は、本発明の一実施例における光ディスク装置のブロック図である。記録媒体である光ディスク１０１は、例えばＤＶＤのディスクである。もちろん、ＤＶＤ−Ｒのように一回のみ記録が可能な追記型、ＤＶＤ−ＲＡＭのような書換え型、ＤＶＤ−ＲＯＭのような読取り専用型のいずれであっても良い。 装着された光ディスク１０１は、ディスクモータ１０５により所定の回転速度（例えば、データを記録再生する位置において所定の線速度となる回転速度）で回転駆動される。そのためのディスクモータ制御信号１１５は、ＤＳＰ（Digital Signal Processor）１０９が含むサーボ部１１３で生成され、増幅器１０８で電力増幅されたうえでディスクモータ１０５に供給される。なお、サーボ部１１３が前記ディスクモータ制御信号１１５を生成するために、回転数検出回路１０６が設けられており、回転数検出回路１０６が発生するディスクモータ１０５の回転数を示す信号がＤＳＰ１０９に供給されている。
【００１３】
光ピックアップ１０２は対物レンズ１０４を介して、レーザ光束を光ディスク１０１の記録面に照射し、データを記録または再生する。
光ピックアップ１０２は、スレッド機構に搭載されており、スレッドモータ１０３の回転に伴い、光ディスク１０１上の半径方向に移動して所定のトラック位置においてデータの記録再生を行う。このためのスレッドモータ制御信号１１８はサーボ部１１３で生成され、増幅器１０８で電力増幅されてスレッドモータ１０３に供給される。
また、対物レンズ１０４は電磁力を用いたトラッキングアクチュエータ１１９とフォーカスアクチュエータ１２０（図１では煩雑化を避けるため、１１９と１２０は対物レンズ１０４を駆動する方向のみ示す）に搭載されている。
【００１４】
トラッキングアクチュエータ１１９には、サーボ部１１３で生成され増幅器１０８で電力増幅されたトラッキングアクチュエータ制御信号１１６が供給され、これに基づき対物レンズ１０４は、レーザ光束が光ディスク１０１の所定の記録トラック上を正しくトレースするよう、光ディスク１０１に対する半径方向（トラッキング方向）の位置を微調整される。また、フォーカスアクチュエータ１２０には、サーボ部１１３で生成され増幅器１０８で電力増幅されたフォーカスアクチュエータ制御信号１１７が供給され、これに基づき対物レンズ１０４は、レーザ光束が光ディスク１０１の所定の記録トラック上に正しくフォーカスするよう、光ディスク１０１に対する垂直方向（フォーカス方向）の位置を微調整される。
【００１５】
光ピックアップ１０２が含む光検出器１２１は、前記レーザ光束の光ディスク１０１からの反射光を検出し、光ディスク１０１に記録されていた情報信号を検出して電気信号に変換する。検出された情報信号は信号処理部１０７に供給される。信号処理部１０７は、ＡＦＥ（Analog Front End）回路とも呼ばれ、ディジタル記録であっても本質的にはアナログ信号として扱うべき段階における前記情報信号の処理を行う。即ち信号処理部１０７は、前記情報信号を演算処理して、例えばトラッキング制御用のＤＰＤ信号とＤＰＰ信号、フォーカス制御用のＤＡＤ（Differential Astigmatism Detection）信号を生成し、ＤＳＰ１０９が含むサーボ部１１３に供給する。サーボ部１１３は、供給されたＤＰＤ信号、ＤＰＰ信号、ＤＡＤ信号に基づきトラッキング用とフォーカス用のサーボ信号、即ち先のトラッキングアクチュエータ制御信号１１６とフォーカスアクチュエータ制御信号１１７を生成し、増幅器１０８を介して光ピックアップ１０２に供給し、前記したトラッキング動作とフォーカス動作を制御する。
【００１６】
また信号処理部１０７は、光ディスク１０１に対してデータを記録再生した際の振幅や位相の周波数特性を等化したうえで、等化されたデータをＤＳＰ１０９が含むデコーダ部１１２に供給する。デコーダ部１１２は、光ディスク１０１に記録されていた情報信号の再生処理を行う。例えば、光ディスク１０１に記録する以前に情報信号に施されたデータ圧縮処理とは逆の伸張処理を行い、元の情報信号をデコードする。なお、先の信号処理部１０７は、ＤＳＰ１０９と同じ半導体チップ上に集積されることがある。
【００１７】
以上述べた光ディスク装置の動作は、マイコン（マイクロコンピュータ）１１１が生成する制御信号に基づいて行われる。なお、マイコン１１１もＤＳＰ１０９と同じ半導体チップ上に集積されることがある。以下では、マイコン１１１を制御部１１１と記述することがある。
また、例えばユーザからの動作指令などは、光ディスク装置の上位装置が有するホストコンピュータ１１４で生成される。ホストコンピュータ１１４で生成された指令信号は、ＤＳＰ１０９が含むＩ／Ｆ（インタフェース）部１１０が上位装置と光ディスク装置の間の通信を仲介することで伝達される。
【００１８】
次に図２Ａ、図２Ｂ、図３Ａと図３Ｂを用いて、信号処理部１０７におけるトラッキング制御用のＤＰＤ信号とＤＰＰ信号の生成方法について説明する。ＤＰＤ信号とＤＰＰ信号は、図１の光ピックアップ１０２に供給されるトラッキングアクチュエータ制御信号１１６に相当する。まずＤＰＤ信号に関して述べる。
図２Ａは、本発明の一実施例におけるＤＰＤ信号の生成部のブロック図である。
図２Ｂは、本発明の一実施例におけるＤＰＤ信号の説明図である。
【００１９】
前記したとおり光ピックアップ１０２は、光ディスク１０１で反射されたレーザ光を検出するための光検出器１２１を有する。光検出器１２１は、後記するように主検出器と２つの副検出器を有することが多い。ここ述べるＤＰＤ信号は、主検出器で検出された信号に基づいて生成される。光ディスク１０１における記録トラックのトラックピッチをＴｒとすると、主検出器はトラックの中心に対してほぼ±Ｔｒ／２の範囲からの反射光を検出している。また主検出器は、４つの検出エリアを有している。このため、以下では主検出器を４分割光検出器と呼ぶ。信号処理部１０７は、これら４つの受光エリアにおいて受光されたレーザ光に基づいて得た電気信号を演算し、ＤＰＤ信号を生成している。
【００２０】
図２Ａにおいては、上半分にはＤＰＤ信号の生成部の回路ブロック構成を、下半分には光ディスク１０１におけるレーザ光のレーザスポット２１０及び記録された情報に応じたピット２１１と、生成される信号の関係を示している。例えば４分割光検出器２０１におけるＡ、Ｂ、Ｃ、Ｄと記した４つの検出エリアにおいて検出されたレーザ光に基づく電気信号を、同じくＡ、Ｂ、Ｃ、Ｄと表す。
まず加算器２０２で演算して（Ａ＋Ｃ）を生成し、加算器２０３で演算して（Ｂ＋Ｄ）を生成する。この段階ではアナログ信号であるが、次に各々を二値化回路２０４及び２０５で二値化された信号とする。（Ａ＋Ｃ）を二値化した信号をＳ１ａ、（Ｂ＋Ｄ）を二値化した信号をＳ１ｂとする。
【００２１】
図２Ａの下半分の図においてレーザ光のレーザスポット２１０は、光ディスク上のピット２１１を左から右方向に照射しながら進行している。左側から順に説明する。
先ずレーザスポット２１０の中心が、ピット２１１（ピットでは他の部分よりも反射光が小さい）の中心に対して、一方向（図で下方向）にずれていた場合を考える。ピット２１１を通過する際に、Ａ及びＢの検出エリアは、Ｃ及びＤの検出エリアよりも検出される光が小さくなる。しかもピットの開始部分ではＢはＡよりも先に小さくなり、ピット終了部分ではＢはＡよりも先に大きくなる。このため２値化されたＳ１ａは、Ｓ１ｂに対してレーザスポット１個分に対応した時間だけ、Ｈｉｇｈ（検出光大）からＬｏｗ（検出光小）、またＬｏｗからＨｉｇｈへ遷移するタイミングが遅れる。
【００２２】
一方、レーザスポット２１０の中心が、ピット２１１の中心に対して、残る一方向（図で上方向）にずれていた場合を考える。Ｃ及びＤの検出エリアは、Ａ及びＢの検出エリアよりも検出する光が小さくなる。しかもピットの開始部分ではＣはＤよりも先に小さくなり、ピット終了部分ではＣはＤよりも先に大きくなる。このため２値化されたＳ１ａは、Ｓ１ｂに対してレーザスポット１個分に対応した時間だけ、Ｈｉｇｈ（検出光大）からＬｏｗ（検出光小）、またＬｏｗからＨｉｇｈへ遷移するタイミングが進む。
【００２３】
前記したＳ１ａとＳ１ｂを位相比較器２０６に供給する。位相比較器２０６は、供給された二値信号Ｓ１ａとＳ１ｂを演算して二値信号Ｓ２ａとＳ２ｂを出力する。その際、Ｓ１ａとＳ１ｂの位相を比較してＳ１ｂの方が進んでいる場合には、Ｓ１ａとＳ１ｂの排他的論理和を求めてＳ２ｂ側に出力する。Ｓ１ａとＳ１ｂの位相を比較してＳ１ａの方が進んでいる場合には、Ｓ１ａとＳ１ｂの排他的論理和を求めてＳ２ａ側に出力する。即ち、Ｓ１ａとＳ１ｂのいずれの位相が進んでいるかに応じて、Ｓ１ａとＳ１ｂの位相差を表す双方の排他的論理和信号を、Ｓ２ａかＳ２ｂのいずれかに出力し、各々ＬＰＦ（Low Pass Filter）２０７と２０８に供給する。ＬＰＦ２０７、２０８で必要な周波数帯域に帯域制限（即ち、時間軸方向に積分）されたＳ２ａとＳ２ｂは、減算器２０９で互いに減算される。減算器２０９の出力に得る信号がＤＰＤ信号である。
【００２４】
図２Ｂで示すように、Ｓ２ａの積分値とＳ２ｂの積分値の大小関係に応じて、極性と絶対値が変わるＤＰＤ信号を得ることができる。図２ＢにおけるＤＰＤ信号の中心がトラッキング中心である。ＤＰＤ信号は図１のトラッキングアクチュエータ信号１１６の一つであり、レーザスポット２１０が光ディスク上のピット２１１の中心をトラッキングするために機能している。
なお、図２Ａの加算器２０３、２０４から減算器２０９の各構成要素は、図１の信号処理部１０７が有することが多い。
【００２５】
次に、ＤＰＰ信号に関して述べる。
図３Ａは、本発明の一実施例におけるＤＰＰ信号の生成部のブロック図である。
図３Ｂは、本発明の一実施例におけるＤＰＰ信号の説明図である。
ＤＰＰ信号の生成には、前記した主検出器と副検出器の双方が関係している。副検出器は、ここでは光ディスク１０１の記録トラックの線速度方向に２分割された検出エリアを有するものとする。図３Ａにおいて、主検出器は４分割光検出器３０１（図２Ａの４分割光検出器２０１と同様であって良い）、二つの副検出器は２分割光検出器３０２と３０３である。なお、副検出器の検出エリアも４分割であって良く、本発明は何れであっても適用できる。ＤＰＰ信号は前記したＤＰＤ信号とは異なり、光ディスク１０１からの反射光が光検出器の線速度方向において、その中心に位置するように制御するための信号である。
【００２６】
４分割光検出器３０１における各検出エリアＡ、Ｂ、Ｃ、Ｄでの検出信号より、加算器３０４で得た（Ａ＋Ｄ）と、加算器３０５で得た（Ｂ＋Ｃ）を、減算器３０７で減算して得た信号がＭＰＰ（Main beam Push Pull）信号である。また、一方の２分割光検出器３０２における検出エリアＥとＦでの検出信号より減算器３０６で得た（Ｅ−Ｆ）と、残る一方の２分割光検出器３０３における検出エリアＧとＨでの検出信号より減算器３０８で減算して得た（Ｇ−Ｈ）を、が加算器３０９で加算し、増幅器（係数Ｋと乗算する係数器）３１０で増幅して得た信号がＳＰＰ（Sub beam Push Pull）信号である。前記ＭＰＰ信号とＳＰＰ信号を減算器３１１で減算して得る信号がＤＰＰ信号である。
【００２７】
図３Ｂで示すように、光ディスク１０１からの反射光が光検出器の線速度方向において、その中心が図面上で左側にずれていれば、Ａ、Ｄ、Ｅ、Ｇ側での検出信号が大きくなり、反対に右側にずれていれば、Ｂ、Ｃ、Ｆ、Ｈ側での検出信号が大きくなる。
このため、光ディスク１０１からの反射光が照射する、光検出器の線速度方向における光検出器の中心に対する位置に応じて、極性と絶対値が変わるＤＰＰ信号を得ることができる。ＤＰＰ信号は、先のＤＰＤ信号と同様に、図１のトラッキングアクチュエータ信号１１６の一つである。
【００２８】
加算器３０４、３０５、３０９、減算器３０６、３０７、３０８、３１１、増幅器３１０は、図１の信号処理部１０７が有することが多い。
また、増幅器３１０の増幅度（減衰度）は、前記した線速度方向のずれに対するＤＰＰ信号の中心値の変動が最小となるよう、即ち、ＤＰＰ信号の振幅が最小となるように定めると良い。
図２Ａと図３Ａで示したＤＰＤ信号、ＤＰＰ信号、ＭＰＰ信号、ＳＰＰ信号を、以下ではトラッキング制御信号と総称することがある。
【００２９】
次に、光ディスクのレーベルフラッシュ面とＯＰＵの動作について説明する。
図４は、本発明の一実施例における光ディスクのレーベルフラッシュ面のエリア配置とＯＰＵの動作を示す図であり、横方向は光ディスクの半径方向を示す。前記したように現在は、レーベルフラッシュ面を有する光ディスクはＤＶＤディスクの一部である。ＤＶＤディスクのレーベルフラッシュ面においては、その中心からの半径方向位置で２４．０ｍｍから内側にはインフォメーションエリアが、２４．０ｍｍから約５８ｍｍ（外周）にかけてはドローイングエリアがある。このうちインフォメーションエリアには、ユーザが初めて使う段階で既にデータが記録されているので、ピットが存在する。
【００３０】
さらに、ドローイングエリアとは光ディスクのタイトルなどを印刷するためのエリアであるが、実際にユーザが描画する領域は２５ｍｍから外側である。なお図４においては、図示する関係上、ドローイングエリアの内周側からインフォメーションエリアにかけての大きさを、他の部分よりも拡大して示している。
【００３１】
従来のディスク面の判別では例えば、図４の２４〜２５ｍｍの位置にＯＰＵを位置させて、ＯＰＵから出力されるＤＰＤ信号とＤＰＰ信号の振幅が、ともに所定値よりも小さい場合には、ＯＰＵにはレーベルフラッシュ面が対向していると判定していた。この場合、公差を考えれば半径方向のＯＰＵの位置精度を、例えば０．５ｍｍ以内とする必要がある。これは、光ディスクや光ディスク装置における公差も含めて考えると厳しい値であり、位置精度を緩和できる判別方法が望まれていた。
【００３２】
そこで本実施例においては、図４に記したように例えば２５ｍｍの位置をＯＰＵの基準位置とすると、矢印で示すように基準位置からいくらか外周側へＯＰＵを移動した後、逆に内周側に向けインフォメーションエリアに入るまで移動させる。その間にＯＰＵから出力されるＤＰＤ信号とＤＰＰ信号の振幅に所定値以上の変化があるか否かで、ディスク面がレーベルフラッシュ面であるか否かを判定することを、本実施例の一つの特徴としている。これにより、ディスク面の判別をする際に、ＯＰＵの位置精度を前記したように高くする必要はなく、例えば４〜５ｍｍ程度移動させながら判別すれば良いので、ディスク面の判別を容易にすることができるという効果がある。
前記したＯＰＵの移動とディスク面の判定は、図１のＤＳＰ１０９が含むサーボ部１１３がスレッドモータ１０３を制御して、光ピックアップ１０２の位置を光ディスクの半径方向に移動させることにより実施することができる。
【００３３】
次に前記した方法における、ＤＰＰ信号とＤＰＤ信号の振幅の変化について説明する。
図５は、レーベルフラッシュ面におけるＤＰＰ信号とＤＰＤ信号の振幅を示す図であり、ＯＰＵの位置をインフォメーションエリアからドローイングエリアの全体にわたり変化させた場合を示している。ＤＰＰ信号とＤＰＤ信号とも二通りを示しているが、いずれも上半分がドローイングエリアの描画可能領域に何も描画されていない状態を、下半分が描画可能領域全体に文字や絵が描画された状態を示している。なお、レーベルフラッシュ面がＯＰＵに対向するように光ディスクが光ディスク装置に挿入された場合においても、本実施例では、光ディスクがＤＶＤディスクであることを前提にして、サーボ部１１３はフォーカスサーボをかけながら光ディスク装置を制御している。
【００３４】
図５から分かるようにインフォメーションエリアにおいては、描画する前後のいずれでもＤＰＰ信号、ＤＰＤ信号とも振幅が大きい。これは、インフォメーションエリアには前記したように予め信号が記録されているためである。ドローイングエリアにおいては、描画可能領域に描画された後は双方の振幅は大きいが、描画されないエリアでは双方の振幅は小さい。これは、描画可能領域に描画されたことによりノイズ状の信号が検出されるためである。なお、本実施例においては描画された後の描画可能領域における前記振幅が小さい場合でも、目的とするディスク面の判別には影響しない。したがい、先に図４で説明したようにＯＰＵを移動させると、インフォメーションエリアとドローイングエリアの境界（２４．０ｍｍ）付近では、
ＤＰＰ信号振幅（Information Area）  ＞  ＤＰＰ信号振幅（Drawing Area）
・・・・・・・・・（式１）
ＤＰＤ信号振幅（Information Area）  ＞  ＤＰＤ信号振幅（Drawing Area）
・・・・・・・・・（式２）
の双方が成り立つ。言い換えれば、ＯＰＵの移動中にＤＰＰ信号、ＤＰＤ信号とも所定値以上の振幅変化が検出される。該振幅変化は、図１におけるサーボ部１１３が、信号処理部１０７の出力を受けて検出する。
【００３５】
以上の事項は、ＯＰＵが対向する面がデータ記録面である場合には異なる結果となる。これを図６〜図８に基づいて説明する。
図６は、ＤＶＤ−Ｒのデータ記録面におけるＤＰＰ信号とＤＰＤ信号の振幅を示す図である。ＤＶＤ−Ｒ、ＤＶＤ−ＲＡＭ、ＤＶＤ−ＲＯＭなどＤＶＤにおいては、半径方向で２４．０ｍｍの位置を境界に、内周側にはディスクの属性や管理データを記録するリードインエリアが、外側にはユーザが使用するデータを記録する（ＤＶＤ−ＲＯＭでは既にデータが記録された）データエリアがある。
【００３６】
ＤＶＤ−Ｒにおいては、リードインエリアではＤＰＰ信号、ＤＰＤ信号ともユーザデータの記録の有無に関わらず振幅が至る所で大きい。これは、リードインエリアには予めデータが記録されているためである。一方、データエリアでは、ＤＰＰ信号はユーザデータの記録の有無に関わらず振幅が至る所で大きいが、ＤＰＤ信号の振幅はユーザデータの記録前では小さく、記録後では大きい。これは、ＤＶＤ−Ｒのデータエリアではユーザデータを予め設けられたグルーブ（溝）に記録するためである。なお、ユーザデータはデータエリアの内側から順次記録されるので、追記を繰返すと次第にＤＰＤ信号の振幅が大きいエリアが外側へ広がっていく。図６は光ディスクの最外周までユーザデータが記録された状態を示している。
【００３７】
したがい、ＤＶＤ−Ｒのデータ記録面において、先に図４で示したようにＯＰＵを移動させた場合には、リードインエリアとデータエリアの境界（２４．０ｍｍ）付近で、少なくも前記した（式１）は成立しない。即ち、ＯＰＵの移動中に少なくもＤＰＰ信号には所定値以上の振幅変化が検出されることはない。よって、ＤＶＤ−Ｒにおいてレーベルフラッシュ面とデータ記録面のいずれがＯＰＵと対向しているかを判別することができる。
【００３８】
図７は、ＤＶＤ−ＲＡＭのデータ記録面におけるＤＰＰ信号とＤＰＤ信号の振幅を示す図である。
ＤＶＤ−ＲＡＭにおいては、リードインエリアではユーザデータの記録の有無に関わらず、ＤＰＰ信号の振幅が小さく、ＤＰＤ信号の振幅が大きい。これは、ＤＶＤ−ＲＡＭのリードインエリアにはランド（山）やグルーブ（溝）がないためである。一方、データエリアでは、ＤＰＰ信号、ＤＰＤ信号ともユーザデータの記録の有無に関わらず、振幅が大きい。これは、ＤＰＰ信号においては、ＤＶＤ−ＲＡＭのデータエリアにはデータ記録用に用いるランドとグルーブの双方があるためである。また、ＤＰＤ信号においては、ＰＩＤ（Postscribed Identify）領域にピットが存在するためである。
【００３９】
したがい、ＤＶＤ−ＲＡＭのデータ記録面において、先に図４で示したようにＯＰＵを移動させた場合には、前記した（式１）と（式２）は成立しない。即ち、ＯＰＵの移動中にＤＰＰ信号とＤＰＤ信号には所定値以上の振幅変化が検出されることはない。よって、ＤＶＤ−ＲＡＭにおいてもレーベルフラッシュ面とデータ記録面のいずれがＯＰＵと対向しているかを判別することができる。
【００４０】
図８は、ＤＶＤ−ＲＯＭのデータ記録面におけるＤＰＰ信号とＤＰＤ信号の振幅を示す図である。周知のとおりＤＶＤ−ＲＯＭはリードインエリアやデータエリアにデータが記録された状態で供給される。このため、ＤＰＰ信号、ＤＰＤ信号とも振幅はリードインエリア、データエリアとも大きい。
したがい、ＤＶＤ−ＲＯＭのデータ記録面において、先に図４で示したようにＯＰＵを移動させた場合には、前記した（式１）と（式２）は成立しない。また、ＯＰＵの移動中にＤＰＰ信号とＤＰＤ信号に所定値以上の振幅変化が検出されることはない。よって、ＤＶＤ−ＲＯＭにおいてもレーベルフラッシュ面とデータ記録面のいずれがＯＰＵと対向しているかを判別することができる。
なお、前記したＤＶＤディスクのほかに書換え型のＤＶＤ−ＲＷがあるが、ＤＰＰやＤＰＤの振幅について基本的には図６のＤＶＤ−Ｒと同様である。
【００４１】
以上述べたとおり、各種のＤＶＤのデータ記録面において、（式１）と（式２）が同時に満たされることはなく、また、ＯＰＵの移動中にＤＰＰ信号とＤＰＤ信号の双方に、所定値以上の振幅変化が検出されることはない。従って本実施例によれば、光ディスク装置に光ディスクが挿入された際に、ＯＰＵを移動させＤＰＰ信号とＤＰＤ信号の双方に所定値以上の振幅変化を検出した場合に、光ディスクのレーベルフラッシュ面がＯＰＵに対向するように挿入されたと判定できる。この判定動作のためにＯＰＵの位置精度が高く要求されることはなく、ディスク面の判別を容易にすることができるという効果がある。
【００４２】
次に、光ディスク装置における光ディスクの判別方法の全体を説明し、本実施例の全体の中での位置づけを明らかにする。図４から図８までの説明では、光ディスク装置に挿入された光ディスクがＤＶＤディスクであることを前提として説明した。これは、レーベルフラッシュ面が存在するのが、一部のＤＶＤディスクであることによる。以下では、まず挿入された光ディスクがＢＤ、ＣＤ、ＤＶＤのいずれであるかを判別するという、ディスク判別の最初の段階から始まる全体のフローを説明する。
図９は、本発明の一実施例における光ディスク判別方法の第１のフローチャートである。
【００４３】
ユーザが光ディスク装置に光ディスクを装着すると、サーボ部１１３は光ピックアップ１０２を光ディスク上の所定の初期位置に位置させ、記録トラックにフォーカスを結ぶよう対物レンズ１０４に対してフォーカス制御を行う（ステップＳ９１、以下“ステップ”の表示を略す）。
次に制御部１１１は、Ｓ９２と記した第１のディスク判別（図中のディスク判別（１））を行う。第１のディスク判別Ｓ９２は、装着された光ディスクがＢＤ、ＣＤ、ＤＶＤの何れであるかを判別するものであって、次のＳ９２１とＳ９２２を含んでいる。この光ディスクの種類を判別する方法にはいくつかの方法が考えられるが、ここでは一例としてＢＤであるか否かを先に判別する方法を示す。
【００４４】
制御部１１１は、装着された光ディスクがＢＤであるか否か（ＢＤのデータ記録面がＯＰＴに向けられているか否か）を判別する（Ｓ９２１）。ＢＤである場合には（図中のＹｅｓ）、Ｓ９５に到り、光ディスク装置やユーザが指示する動作をＢＤに対して行う。ＢＤでない場合には（図中のＮｏ）、Ｓ９２２に到る。
光ディスクがＢＤであるか否かの判別は、例えば次のようにする。制御部１１１は、光ピックアップ１０２にＢＤ用の青色レーザ光を光ディスクに対して照射させ、光ディスク表面及びデータ記録面からの反射光の時間差を取得する。例えば図２Ａの光ピックアップの検出エリアＡ、Ｂ、Ｃ、Ｄからの和信号において、前記時間差を検出すると良い。データ記録面の光ディスク表面からの距離（板厚）は、ＢＤ、ＤＶＤ、ＣＤの順で０．１ｍｍ、０．６ｍｍ、１．２ｍｍであり、最も位置が近く時間差の小さいＢＤを正確に他のディスクと区別することができる。
【００４５】
次にＳ９２１でＢＤではないと判別された場合には、制御部１１１は、装着された光ディスクがＣＤであるか否か（ＣＤのデータ記録面がＯＰＴに向けられているか否か）を判別する（Ｓ９２２）。ＣＤである場合には（図中のＹｅｓ）、Ｓ９４に到り、光ディスク装置やユーザが指示する動作をＣＤに対して行う。ＣＤでない場合には（図中のＮｏ）、Ｓ９３に到る。
光ディスクがＣＤであるか否かの判別は、例えば次のようにする。制御部１１１は、光ピックアップ１０２にＣＤ用の近赤外レーザ光とＤＶＤ用の赤色レーザ光を順次光ディスクに対して照射させ、信号処理部１０７が生成したフォーカスエラー信号、例えばＣＡＤ（Conventional Astigmatism Detection）信号の振幅を取得する。光ディスクがＣＤである場合には、ＤＶＤ用のレーザ光よりもＣＤ用のレーザ光を照射した時の方が、フォーカスエラー信号の振幅は大きい。
【００４６】
反対にＤＶＤである場合には、ＣＤ用のレーザ光よりもＤＶＤ用のレーザ光を照射した時の方が、フォーカスエラー信号の振幅は大きい。このため、各レーザ光を照射した時のフォーカスエラー信号の振幅を取得することにより、制御部１１１は光ディスクがＣＤであるか否かを判別することができる。
なお、図９のフローでは装着した光ディスクが、前記した３種類のいずれかであることを前提としている。実際の光ディスク装置では、例えば３種類のいずれにも相当しない場合に、光ディスクを装置外に排出するようなステップも必要であるが、本発明とは直接関係がないために記載を省略する。また、Ｓ９４とＳ９５の処理については、やはり本発明とは直接関係しないために詳しい記載を省略する。以下では、本実施例の特徴の一つであるレーベルフラッシュ面の判別を含むＳ９３に関して、説明を続ける。
【００４７】
図１０は、本発明の一実施例における光ディスク判別方法の第２のフローチャートであり、図９のＤＶＤ処理（Ｓ９３）の内容を示している。
まずサーボ部１１３は、回転数検出回路１０６が生成する光ディスク１０１の回転速度に係る情報に基づき、光ディスク１０１が所定の速度で回転するようディスクモータ１０５を制御する（Ｓ１０１）。
【００４８】
次に制御部１１１は、光ピックアップ１０２に指示してＤＶＤ用の赤色レーザ光を光ディスク１０１に照射させる（Ｓ１０２）。前記レーザ光の反射光を用いて信号処理部１０７が生成したフォーカスエラー信号に基づき、サーボ部１１３は対物レンズ１０４が光ディスク１０１の記録面に焦点を結ぶよう、光ピックアップ１０２を制御する（Ｓ１０３）。
次に制御部１１１は、Ｓ１０４と記した第２のディスク判別（図中のディスク判別（２））を行う。第２のディスク判別Ｓ１０４は、装着された光ディスクがＤＶＤディスクのうち、ＤＶＤ−Ｒ、ＤＶＤ＋Ｒ、ＤＶＤ−ＲＷ、ＤＶＤ＋ＲＷのいずれかであるか否か（いずれかのデータ記録面がＯＰＴに向けられているか否か）を判別するものであって、次のＳ１０４１、Ｓ１０４２、Ｓ１０４３とＳ１０４４を含んでいる。これらの光ディスクの種類を判別する方法、特に判定する順序にはいくつかの方法が考えられるが、ここでは一例を示す。
【００４９】
まず、ＤＶＤ−Ｒであるか否かを判別して（Ｓ１０４１）、ＤＶＤ−Ｒである場合には（図中のＹｅｓ）、Ｓ１０４６に到り、光ディスク装置やユーザが指示する動作をＤＶＤ−Ｒに対して行う。ＤＶＤ−Ｒでない場合には（図中のＮｏ）、Ｓ１０４２に到りＤＶＤ＋Ｒであるか否かを判別する。
以下、Ｓ１０４４までは同様であるために詳しくは繰返さないが、Ｓ１０４２でＤＶＤ＋Ｒ、Ｓ１０４３でＤＶＤ−ＲＷ、Ｓ１０４４でＤＶＤ＋ＲＷと判別された場合には各々Ｓ１０４５、Ｓ１０４８、Ｓ１０４７に到り、いずれにも該当しない場合にはＳ１０５に到る。なおＳ１０４５〜Ｓ１０４８の処理については、本発明とは直接関係しないために詳しい記載を省略する。
【００５０】
以上Ｓ１０４１〜Ｓ１０４４における判別のフローについては、分かり易さを優先するためにシリーズのフローで示したが、実際には次のように記録トラックのウォブル周波数と、ＤＰＰ信号の振幅を検出して行うフローであることが多い。
光ディスク上の記録トラックが有するうねりに応じて、光ピックアップが検出する再生信号は所定のウォブル周波数を有する。ウォブル周波数は、ＤＶＤ−ＲとＤＶＤ−ＲＷでは１４０．６４５ｋＨｚ、ＤＶＤ＋ＲとＤＶＤ＋ＲＷでは８１７ｋＨｚである。このため、ウォブル周波数を知ることにより、制御部１１１は＋型と−型のディスクを判別することができる。
【００５１】
一方、ＤＶＤ−ＲとＤＶＤ−ＲＷ、或いは、ＤＶＤ＋ＲとＤＶＤ＋ＲＷとでは、いずれも前者の方がデータ記録面でのレーザ光の反射率が大きい。このため、信号処理部１０７が生成する図３Ａで示したＤＰＰ信号の振幅は、前者の方が大きい。このため、ＤＰＰ信号の振幅を知ることにより、制御部１１１はＲ型とＲＷ型のディスクを判別することができる。
以上のように、ウォブル周波数の判定とＤＰＰ信号の振幅の判定を組合せることにより、Ｓ１０４１〜Ｓ１０４４で示した例と等価なディスク判別をすることができる。
【００５２】
次に制御部１１１は、Ｓ１０５と記したレーベルフラッシュ面の判別を行う。Ｓ１０５は、装着された光ディスクがＤＶＤディスクのうち、ＤＶＤ−Ｒ、ＤＶＤ＋Ｒ、ＤＶＤ−ＲＷ、ＤＶＤ＋ＲＷのいずれでもないと判定された場合（これらの光ディスクが装着された場合でも、データ記録面が光ピックアップ１０２に向けられていない場合もこれに含む）に、光ピックアップ１０２に向けられた面がレーベルフラッシュ面であるか否かを判別するものであって、次のＳ１０５１を含んでいる。
光ピックアップ１０２に向けられた面がレーベルフラッシュ面であるか否かを判別して（Ｓ１０５１）、レーベルフラッシュ面である場合には（図中のＹｅｓ）、Ｓ１０５２に到り、光ディスク装置やユーザが指示する動作をレーベルフラッシュ面に対して行う。例えばユーザが作成したレーベルを印刷する。レーベルフラッシュ面でない場合には（図中のＮｏ）、Ｓ１０６に到る。ここで、Ｓ１０６以下のステップを説明する前に、図１１Ａ、図１１Ｂと図１２を用いて、Ｓ１０５１における光ピックアップ１０２に向けられた面がレーベルフラッシュ面であるか否かを判定する方法の一例を説明する。
【００５３】
図１１Ａは、本発明の一実施例における光ディスク判別方法の第３のフローチャートであり、図１０のレーベルフラッシュ面の判別（Ｓ１０５１）の内容を示している。
図１１Ｂは、図１１Ａにおける判定条件を示す図である。
図１２は、本発明の一実施例におけるＯＰＵの動作を示す図であり、先に図４で一例を示したＯＰＵの動作を、３つの場合について示したものである。
【００５４】
図１１Ａで、まずサーボ部１１３はスレッドモータ１０３に制御信号を送り、光ピックアップ１０２の光ディスク１０１における半径方向の位置を、基準位置より外周方向に移動させる（Ｓ１１０１）。図１２では、光ピックアップ１０２の初期位置が半径方向で２５．０ｍｍの場合（図４と同じ）、２４．０ｍｍの場合（インフォメーションエリアとドローイングエリアの境界）、２６．０ｍｍの場合（ドローイングエリアの描画可能領域）にある場合につき、光ピックアップ１０２の移動方法の一例を示している。即ち、光ピックアップは先ず初期位置より所定量だけ外周方向に移動される。所定量とは、一例として０．７ｍｍ程度であれば良い。
【００５５】
なお、図１２において初期位置として３箇所を示した。その理由は次のとおりである。即ち、初期位置を２５．０ｍｍとして設計しても、機構系部品の寸法誤差やＯＰＵの位置出し精度により、ＯＰＵは実際にはその前後にずれて位置してしまう。実際には±１ｍｍ程度のずれがあることを前提にして設計する必要がある。このため、２４．０ｍｍと２６．０ｍｍとなった場合での動作も、同じ図で示している。
【００５６】
次いで制御部１１１は、内蔵する測定回数のカウンタの数値Ｎを０と初期化する（Ｓ１１０２）。図１２では数値Ｎの値を光ピックアップ１０２の位置に応じて図示している。
制御部１１１は、前記カウンタの数値Ｎを０とした位置において、信号処理部１０７が生成するＤＰＤ信号の振幅を測定する（Ｓ１１０３）。制御部１１１は、測定したＤＰＤ信号の振幅をＮ番目の（例えば０番地の）ＤＰＤ信号振幅測定値メモリに格納する（Ｓ１１０４）。該メモリは制御部１１１に外付けされていても良く、また内蔵されていても良い。
【００５７】
さらに制御部１１１は、前記カウンタの数値Ｎを０とした位置において、信号処理部１０７が生成するＤＰＰ信号の振幅を測定する（Ｓ１１０５）。制御部１１１は、測定したＤＰＤ信号の振幅をＮ番目の（例えば０番地の）ＤＰＰ信号振幅測定値メモリに格納する（Ｓ１１０６）。該メモリも制御部１１１に外付けされていても良く、また内蔵されていても良い。
Ｎ＝０とした位置におけるＤＰＤ信号とＤＰＰ信号の測定が終わると、制御部１１１は、前記カウンタの数値に１を加算して新たな数値Ｎとする（Ｓ１１０７）。
【００５８】
次いで、サーボ部１１３はスレッドモータ１０３に制御信号を送り、光ピックアップ１０２の光ディスク１０１における半径方向の位置を、内周方向に所定量だけ移動させる（Ｓ１１０８）。図１２では、所定量として０．４ｍｍ程度である例を示している。
制御部１１１は、前記カウンタの数値Ｎの位置において、信号処理部１０７が生成するＤＰＤ信号の振幅を測定する（Ｓ１１０９）。制御部１１１は、測定したＤＰＤ信号の振幅をＮ番目の（例えば前記０番地以外の）ＤＰＤ信号振幅測定値メモリに格納する（Ｓ１１１０）。
【００５９】
さらに制御部１１１は、前記カウンタの数値Ｎの位置において、信号処理部１０７が生成するＤＰＰ信号の振幅を測定する（Ｓ１１１１）。制御部１１１は、測定したＤＰＤ信号の振幅をＮ番目の（例えば前記０番地以外の）ＤＰＰ信号振幅測定値メモリに格納する（Ｓ１１１２）。
【００６０】
次いで制御部１１１は、前記メモリに格納されたＤＰＤ信号とＤＰＰ信号の振幅測定値が、図１１Ｂで示す条件（１）を満足するか否かを判定する（Ｓ１１１３）。Ｓ１１１３で前記振幅測定値が条件（１）を満足する場合には（図中のＹｅｓ）、後に説明するように、制御部１１１は、光ピックアップ１０２に向けられた面がレーベルフラッシュ面であると判定する（Ｓ１１１７）。Ｓ１１１３で前記振幅測定値が条件（１）を満足しない場合には（図中のＮｏ）、Ｓ１１１４に到る。
【００６１】
Ｓ１１１４において制御部１１１は、前記メモリに格納されたＤＰＤ信号とＤＰＰ信号の振幅測定値が、図１１Ｂで示す条件（２）を満足するか否かを判定する。Ｓ１１１４で前記振幅測定値が条件（２）を満足する場合には（図中のＹｅｓ）、後に説明するように、制御部１１１は、光ピックアップ１０２に向けられた面がレーベルフラッシュ面であると判定する（Ｓ１１１７）。Ｓ１１１３で前記振幅測定値が条件（２）を満足しない場合には（図中のＮｏ）、Ｓ１１１５に到る。
【００６２】
Ｓ１１１５において制御部１１１は、前記ＤＰＤ信号とＤＰＰ信号の測定が光ディスク上の異なる位置（図１２では、ドローイングエリアからインフォメーションエリアにかけて、例えば０．４ｍｍずつ半径方向に隔てた位置）に対して所定の回数だけ行われたか否かを判定する。即ち、現在のカウンタの数値Ｎが所定の数に達しているか否かを判定する。所定の回数とは、光ピックアップ１０２がドローイングエリアとインフォメーションエリアの境界を、公差も含めて通過できる回数で定めれば良い。図１２では、例えば９を所定の回数とすれば良い。
【００６３】
Ｓ１１１５で、測定が所定の回数だけ行われたと判定された場合には（図中のＹｅｓ）、制御部１１１は、光ピックアップ１０２に向けられた面がレーベルフラッシュ面ではないと判定する（Ｓ１１１６）。また、測定がまだ所定の回数だけ行われていないと判定された場合には（図中のＮｏ）、Ｓ１１０７に戻り、制御部１１１はさらに光ピックアップ１０２を所定量だけ内周側へ移動した位置における、ＤＰＤ信号とＤＰＰ信号の測定を繰返す。
Ｓ１１１６またはＳ１１１７で、レーベルフラッシュ面の判別を終了した後は、光ピックアップ１０２の位置を初期位置に移動して（Ｓ１１１８）、先の図１０のＳ１０６に到る。
【００６４】
次に、図１１Ｂを用いて、図１１ＡのＳ１１１３における条件（１）と、Ｓ１１１４における条件（２）について詳しく説明する。
条件（１）では、まず前記カウンタの数値Ｎが３以上であることを条件とする。Ｎが３以上である場合に、以下のようにして、ＤＰＤ信号とＤＰＰ信号を用いたディスク面の判別を行う。
現在の数値Ｎにおける前記メモリに格納されたＤＰＤ信号の振幅と、２回前である数値Ｎ−２における前記メモリに格納されたＤＰＤ信号の振幅との比を制御部１１１が求めてＤＰＤ比率（１）とする。また、１回前である数値Ｎ−１における前記メモリに格納されたＤＰＤ信号の振幅と、２回前である数値Ｎ−２における前記メモリに格納されたＤＰＤ信号の振幅との比を制御部１１１が求めて、ＤＰＤ比率（２）とする。
ＤＰＰ信号に関してもＤＰＤ信号と同様に、現在の数値Ｎにおける前記メモリに格納されたＤＰＰ信号の振幅と、２回前である数値Ｎ−２における前記メモリに格納されたＤＰＰ信号の振幅との比を制御部１１１が求めてＤＰＰ比率（１）とする。また、１回前である数値Ｎ−１における前記メモリに格納されたＤＰＰ信号の振幅と、２回前である数値Ｎ−２における前記メモリに格納されたＤＰＰ信号の振幅との比を制御部１１１が求めて、ＤＰＰ比率（２）とする。
【００６５】
前記したようにＮが３以上であり、即ち測定した回数が前記した比を求めるうえで充分であり、しかも、ＤＰＤ比率（１）とＤＰＤ比率（２）のいずれもが所定の閾値（図１１Ｂに記載のＤＰＤ閾値であって、例えば２とすると良い）よりも大きく、しかも、ＤＰＰ比率（１）とＤＰＰ比率（２）のいずれもが所定の閾値（図１１Ｂに記載のＤＰＰ閾値であって、例えば２とすると良い）よりも大きい場合には、条件（１）を満たし、先のＳ１１１７で光ピックアップ１０２に向けられた面がレーベルフラッシュ面であるとされる。
【００６６】
例えば図１２において、光ピックアップ１０２が２４．０ｍｍの位置を初期位置にした場合、まず２４．７ｍｍの位置から０．４ｍｍおきで内周側に向けて移動しながら、制御部１１１はＤＰＤ信号とＤＰＰ信号を測定する。この時、数値Ｎが１と２の間でドローイングエリアとインフォメーションエリアの境界を通過し、レーベルフラッシュ面であれば条件（１）を満足する。
【００６７】
次に、光ピックアップ１０２の初期位置がドローイングエリアである場合、例えば図１２で示した初期位置が２５．０ｍｍや２６．０ｍｍである場合には、前者では数値Ｎが４と５の間で、後者では６と７の間でドローイングエリアとインフォメーションエリアの境界を通過し、レーベルフラッシュ面であれば条件（１）を満足する。
【００６８】
条件（２）では、まず前記カウンタの数値Ｎが４以上であることを条件とする。Ｎが４以上である場合に、以下のようにして、ＤＰＤ信号とＤＰＰ信号を用いたディスク面の判別を行う。
現在の数値Ｎにおける前記メモリに格納されたＤＰＤ信号の振幅と、３回前である数値Ｎ−３における前記メモリに格納されたＤＰＤ信号の振幅との比を制御部１１１が求めてＤＰＤ比率（３）とする。また、１回前である数値Ｎ−１における前記メモリに格納されたＤＰＤ信号の振幅と、３回前である数値Ｎ−３における前記メモリに格納されたＤＰＤ信号の振幅との比を制御部１１１が求めて、ＤＰＤ比率（４）とする。
ＤＰＰ信号に関してもＤＰＤ信号と同様に、現在の数値Ｎにおける前記メモリに格納されたＤＰＰ信号の振幅と、３回前である数値Ｎ−３における前記メモリに格納されたＤＰＰ信号の振幅との比を制御部１１１が求めてＤＰＰ比率（３）とする。また、１回前である数値Ｎ−１における前記メモリに格納されたＤＰＰ信号の振幅と、３回前である数値Ｎ−３における前記メモリに格納されたＤＰＰ信号の振幅との比を制御部１１１が求めて、ＤＰＰ比率（４）とする。
【００６９】
前記したようにＮが４以上であり、即ち測定した回数が前記した比を求めるうえで充分であり、しかも、ＤＰＤ比率（３）とＤＰＤ比率（４）のいずれもが所定の閾値（図１１Ｂに記載のＤＰＤ閾値であって、例えば２とすると良い）よりも大きく、しかも、ＤＰＰ比率（３）とＤＰＰ比率（４）のいずれもが所定の閾値（図１１Ｂに記載のＤＰＰ閾値であって、例えば２とすると良い）よりも大きい場合には、条件（２）を満たし、先のＳ１１１７で光ピックアップ１０２に向けられた面がレーベルフラッシュ面であるとされる。
【００７０】
例えば図１２において、光ピックアップ１０２が２５．０ｍｍの位置を初期位置にした場合、まず２５．７ｍｍの位置から０．４ｍｍおきで内周側に向けて移動しながら、制御部１１１はＤＰＤ信号とＤＰＰ信号を測定する。この時、数値Ｎが４と５の間でドローイングエリアとインフォメーションエリアの境界を通過し、レーベルフラッシュ面であればＮが６以上で条件（２）を満足する。同様に、光ピックアップ１０２が２６．０ｍｍの位置を初期位置にした場合、まず２６．７ｍｍの位置から０．４ｍｍおきで内周側に向けて移動しながら、制御部１１１はＤＰＤ信号とＤＰＰ信号を測定する。この時、数値Ｎが６と７の間でドローイングエリアとインフォメーションエリアの境界を通過し、レーベルフラッシュ面であればＮが８以上で条件（２）を満足する。
【００７１】
Ｓ１１１３の条件（１）と、Ｓ１１１４の条件（２）という二つのステップを設けている理由は次のとおりである。例えば条件（１）のＮ−２番目における測定が、偶々インフォメーションエリアとドローイングエリアの境界で行われた場合、正しい測定値を得られないことがある。この場合は条件（１）だけで判定すると、レーベルフラッシュ面であってもレーベルフラッシュ面ではないと誤った判定をする可能性がある。そこでＳ１１１３で条件（１）を満たさない（図中のＮｏ）と判定された場合には、Ｓ１１１４で条件（２）により、さらに１回前のＮ−３番目における測定値（ドローイングエリアでの測定値）を用いた判定を行い、前記したような誤判定を防止するようにしている。
【００７２】
また、条件（１）と条件（２）に共通して、Ｎ番目とＮ−１番目における測定値を双方とも使用している理由は次のとおりである。即ち、いずれかの測定値しか使わない場合、測定点がＤＶＤ−Ｒのリードインエリアに位置した際は、ＤＶＤ−Ｒのデータ記録面をレーベルフラッシュ面と誤って判定することがある。これを避けるため、隣の測定点での値も用いている。リードインエリアは幅が狭いため、測定点の間隔が本実施例のように０．４ｍｍ開いていれば、隣り合う測定点の双方がリードインエリアに位置することはなく、前記した誤判定を避けることができる。
【００７３】
以上述べたようにレーベルフラッシュ面の判別を終了すると、制御部１１１は、図１０のＳ１０６と記した第３のディスク判別（図中のディスク判別（３））を行う。Ｓ１０６は、装着された光ディスクがＤＶＤディスクのうち、ＤＶＤ−Ｒ、ＤＶＤ＋Ｒ、ＤＶＤ−ＲＷ、ＤＶＤ＋ＲＷのいずれでもなく、光ピックアップ１０２にレーベルフラッシュ面が向けられてはいないと判定された場合に、光ディスクがＤＶＤディスクのうち、ＤＶＤ−ＲＡＭであるか否か（ＤＶＤ−ＲＡＭのデータ記録面がＯＰＴに向けられているか否か）を判別するものであって、次のＳ１０６１を含んでいる。
【００７４】
ＤＶＤ−ＲＡＭであるか否かを判別して（Ｓ１０６１）、ＤＶＤ−ＲＡＭである場合には（図中のＹｅｓ）、Ｓ１０６３に到り、光ディスク装置やユーザが指示する動作をＤＶＤ−ＲＡＭに対して行う。ＤＶＤ−ＲＡＭでない場合には（図中のＮｏ）、残る可能性は光ディスクがＤＶＤ−ＲＯＭの場合であるので、Ｓ１０６２に到り、光ディスク装置やユーザが指示する動作をＤＶＤ−ＲＯＭに対して行う。
【００７５】
光ディスクがＤＶＤ−ＲＡＭであるか否かの判別は、例えば次のようにする。制御部１１１は、信号処理部１０７が生成したＤＰＤ信号におけるＴＺＣ（Track Zero Cross）数をカウントする。ＤＶＤ−ＲＡＭではディスクの内周部に存在するＰＩＤ領域でＤＰＤ信号振幅が特に大きくなる。ディスク１周当たりＰＩＤ領域は内周側で２５箇所あるためにＴＺＣ数はほぼ２５となる。しかし、ＰＩＤ領域以外ではＤＰＤ信号の振幅は比較的小さい。一方、ＤＶＤ−ＲＯＭでは至る所の領域でＤＰＤ信号の振幅が大きいため、ＴＺＣ数は極めて大きい値となる。以上のようにＴＺＣ数を制御部１１１がカウントすることにより、ＤＶＤ−ＲＡＭであるか否か（否の場合はＤＶＤ−ＲＯＭである）を判定することができる。
【００７６】
なお、前記したようなＤＶＤ−ＲＡＭの判定には、他の判定と比較して時間を要するため、ここでは他のディスク判別ステップやレーベルフラッシュ面の判別ステップを経た最後にＤＶＤ−ＲＡＭの判定ステップを置き、ディスク判別に要する時間を低減するようにしている。さらに、ＤＶＤ−ＲＡＭやＤＶＤ−ＲＯＭの判別をレーベルフラッシュ面の判別の前に置くと、レーベルフラッシュ面をＤＶＤ−ＲＡＭのデータ記録面と誤って判定する問題がある。本実施例ではこの問題も考慮して判定の順番を決めている。
【００７７】
また、レーベルフラッシュ面の判定を、ＤＶＤ−Ｒ、ＤＶＤ＋Ｒ、ＤＶＤ−ＲＷ、ＤＶＤ＋ＲＷの判定よりも後ろにする理由は、レーベルフラッシュ面の判定の方が多くの時間を要するからである。この点でも本実施例は、ディスク面の判別に要する時間を低減する考慮がなされている。
ここまで示した実施形態は一例であって、本発明を限定するものではない。例えば、各種類の光ディスクにおいて、レーベルフラッシュ面の判定を前記した方法とは異なり、ＤＰＰ信号かＤＰＤ信号のいずれか一方のみを用いる方法を用いても良い。双方を用いる方が、稀に起こる誤判定を少なくすることができる。しかし、いずれか一方であっても実用上問題ない場合もある。またＤＰＰ信号の代わりに、図３Ａで示したＭＰＰ信号の振幅を検出する方法を用いる方法も考えられる。このように本発明の趣旨に基づきながら異なる実施形態を考えられるが、いずれも本発明の範疇にある。
【符号の説明】
【００７８】
１０１：光ディスク、１０２：光ピックアップ、１０７：信号処理部、１０９：ＤＳＰ、１１１：制御部（マイコン）、１１３：サーボ部。
【図１】
2011253601.tif 000003
【図２Ａ】
2011253601.tif 000004
【図２Ｂ】
2011253601.tif 000005
【図３Ａ】
2011253601.tif 000006
【図３Ｂ】
2011253601.tif 000007
【図４】
2011253601.tif 000008
【図５】
2011253601.tif 000009
【図６】
2011253601.tif 000010
【図７】
2011253601.tif 000011
【図８】
2011253601.tif 000012
【図９】
2011253601.tif 000013
【図１０】
2011253601.tif 000014
【図１１Ａ】
2011253601.tif 000015
【図１１Ｂ】
2011253601.tif 000016
【図１２】
2011253601.tif 000017